(57)【要約】【課題】測定値データの取得に要する利用者の負担を十分に軽減しつつ運用コストを十分に低減する。【解決手段】Ｎ台の測定器１のうちのＭ台が、保存条件が満たされたときに、その時刻を特定可能に条件が満たされたことをゲートウェイ２に報知する第１処理と、第１の時間分の測定値のうちの第２の時間分の測定値を測定時刻に関連付けて記録して測定値データＤｍを生成してゲートウェイ２に送信する第２処理とを実行可能に構成され、ゲートウェイ２が、Ｍ台の測定器１のうちの１台から条件が満たされたと報知されたときに、その測定器１を除くＬａ台の測定器１のうちのＬｂ台に対して、条件が満たされた時点を含む第２の時間分の測定値を測定時刻に関連付けて記録した測定値データＤｍの送信を要求する第３処理を実行可能に構成され、Ｌａ台の測定器１が、要求された測定値データＤｍを生成してゲートウェイ２に送信する第４処理を実行可能に構成されている。【選択図】図１
2020143974.tif 000002
【特許請求の範囲】
【請求項１】
予め規定された被測定量を予め規定された測定周期で測定して各測定値を測定時刻に関連付けて記録した測定値データを生成可能に構成されると共に、通信ネットワークを介して外部装置に当該測定値データを送信可能に構成されたＮ台（Ｎは、２以上の自然数）の測定器と、
前記通信ネットワークを介して前記各測定器から送信された前記測定値データを受信して記録可能に構成されたデータ処理装置とを備えた測定システムであって、
前記各測定器は、前記被測定量の測定時に予め規定された第１の時間分の最新の前記測定値を保持可能に構成され、
前記各測定器のうちのＭ台（Ｍは、Ｎ以下の自然数）の当該測定器は、予め規定された保存条件が満たされたときに、当該保存条件が満たされた時刻を特定可能に当該保存条件が満たされたことを前記データ処理装置に報知する第１処理と、前記第１の時間分の測定値のうちの当該保存条件が満たされた時点を含む予め規定された第２の時間分の当該測定値を前記測定時刻に関連付けて記録して前記測定値データを生成し、生成した当該測定値データを前記データ処理装置に送信する第２処理とを実行可能に構成され、
前記データ処理装置は、前記Ｍ台の測定器のうちの１台の当該測定器によって前記第１処理が実行されて前記保存条件が満たされたことが報知されたときに、当該１台の測定器を除くＬａ台（Ｌａは、（Ｎ−１））の前記測定器のうちの予め規定されたＬｂ台（Ｌｂは、Ｌａ以下の自然数）に対して、当該１台の測定器において前記保存条件が満たされた時点を含む前記第２の時間分の当該測定値を前記測定時刻に関連付けて記録した前記測定値データの送信を要求する第３処理を実行可能に構成され、
前記Ｌａ台の測定器は、前記データ処理装置による前記第３処理によって要求された前記測定値データを生成して当該データ処理装置に送信する第４処理を実行可能に構成されている測定システム。
【請求項２】
予め規定された被測定量を予め規定された測定周期で測定して各測定値を測定時刻に関連付けて記録した測定値データを生成可能に構成されると共に、通信ネットワークを介して外部装置に当該測定値データを送信可能に構成されたＮ台（Ｎは、２以上の自然数）の測定器と、
前記通信ネットワークを介して前記各測定器から送信された前記測定値データを受信して記録可能に構成されたデータ処理装置とを備えた測定システムであって、
前記各測定器は、前記被測定量の測定時に予め規定された第１の時間分の最新の前記測定値を保持可能に構成され、かつ前記データ処理装置から要求された前記測定値データを生成して当該データ処理装置に送信可能に構成され、
前記各測定器のうちのＭ台（Ｍは、Ｎ以下の自然数）の当該測定器は、予め規定された保存条件が満たされたときに、当該保存条件が満たされた時刻を特定可能に当該保存条件が満たされたことを前記データ処理装置に報知する処理Ａを実行可能に構成され、
前記データ処理装置は、前記Ｍ台の測定器のうちの１台の当該測定器によって前記処理Ａが実行されて前記保存条件が満たされたことが報知されたときに、前記各測定器に対して、当該１台の測定器において前記保存条件が満たされた時点を含む予め規定された第２の時間分の当該測定値を前記測定時刻に関連付けて記録した前記測定値データの送信を要求する処理Ｂを実行可能に構成されている測定システム。
【請求項３】
前記データ処理装置は、前記各測定器から送信された前記各測定値データを、記録されている前記各測定値に関連付けられた前記測定時刻を一致させるように結合して結合済測定値データを生成可能に構成されている請求項１または２記載の測定システム。
【請求項４】
前記通信ネットワークとしての第１通信ネットワークとは異なる通信ネットワークである第２通信ネットワークを介して前記データ処理装置が接続可能に配設されたデータ記録装置を備え、
前記データ処理装置は、生成した前記結合済測定値データを、前記第２通信ネットワークを介して前記データ記録装置に送信して記録させるデータ送信処理を実行可能に構成されている請求項３記載の測定システム。
【請求項５】
前記通信ネットワークとしての第１通信ネットワークとは異なる通信ネットワークである第２通信ネットワークを介して前記データ処理装置が接続可能に配設されたデータ記録装置を備え、
前記データ処理装置は、前記各測定器から送信された前記測定値データを、前記第２通信ネットワークを介して前記データ記録装置に送信して記録させるデータ送信処理を実行可能に構成されている請求項１または２記載の測定システム。
【請求項６】
前記データ記録装置は、前記データ処理装置から送信された前記各測定値データを、記録されている前記各測定値に関連付けられた前記測定時刻を一致せるように結合して結合済測定値データを生成可能に構成されている請求項５記載の測定システム。
【請求項７】
予め規定された被測定量を予め規定された測定周期で測定して各測定値を測定時刻に関連付けて記録した測定値データを生成可能に構成されると共に、通信ネットワークを介して相互に通信可能に構成されたＮ台（Ｎは、２以上の自然数）の測定器を備えた測定システムであって、
前記各測定器は、前記被測定量の測定時に予め規定された第１の時間分の最新の前記測定値を保持可能に構成され、かついずれかの当該測定器から前記測定値データの送信を要求されたときに、要求された当該測定値データを生成して当該いずれかの測定器に送信可能に構成され、
前記各測定器のうちのＭ台（Ｍは、Ｎ以下の自然数）の当該測定器は、予め規定された保存条件が満たされたときに、前記第１の時間分の測定値のうちの当該保存条件が満たされた時点を含む予め規定された第２の時間分の当該測定値を前記測定時刻に関連付けて記録して前記測定値データを生成し、かつ前記いずれかの測定器として動作して、他のＬａ台（Ｌａは、Ｎ−１）の前記測定器のうちの予め規定されたＬｂ台（Ｌｂは、Ｌａ以下の自然数）に対して、前記保存条件が満たされた時点を含む前記第２の時間分の当該測定値を前記測定時刻に関連付けて記録した前記測定値データの送信を要求する処理を実行可能に構成されている測定システム。
【請求項８】
前記Ｍ台の測定器は、生成した前記測定値データ、および前記Ｌｂ台の測定器から送信された前記各測定値データを、記録されている前記各測定値に関連付けられた前記測定時刻を一致させるように結合して結合済測定値データを生成可能に構成されている請求項７記載の測定システム。
【請求項９】
前記通信ネットワークとしての第１通信ネットワークとは異なる通信ネットワークである第２通信ネットワークを介して前記Ｍ台の測定器が接続可能に配設されたデータ記録装置を備え、
前記Ｍ台の測定器は、生成した前記結合済測定値データを、前記第２通信ネットワークを介して前記データ記録装置に送信して記録させるデータ送信処理を実行可能に構成されている請求項８記載の測定システム。
【発明の詳細な説明】
【技術分野】
【０００１】
本発明は、複数の測定器を備えて構成された測定システムに関するものである。
【背景技術】
【０００２】
例えば、下記の特許文献には、電気設備などの測定対象による使用電力を測定して測定値のデータ（以下、「測定値データ」ともいう）を生成可能に構成された電子式電力量計（以下、単に「電力量計」ともいう）が開示されている。この場合、測定対象が複数存在するときには、各測定対象毎に電力量計を設置すると共に、各電力量計によって生成されるデータをパソコンによってデータ管理する。この際に、この電力量計では、各電力量計からパソコンに測定値データを取り込ませる処理として、次の２種類の処理方式による処理が想定されている。
【０００３】
１つめの処理方式では、任意のタイミングで電力量計の設置場所（すなわち、測定対象が存在する場所）にノートパソコンなどの携帯型のパソコンを携行して電力量計に接続し、接続した電力量計から任意の測定値データを選択して取り込む（以下、「随時処理方式」ともいう）。また、２つめの処理方式では、遠隔地に設置したデスクトップ型のパソコンを電力量計に通信路を介して常時接続した状態で電力量計からパソコンにすべての測定値データを逐次出力させる（以下、「常時処理方式」ともいう）。
【０００４】
このように、この電力量計では、随時処理方式および常時処理方式のいずれかで電力量計からパソコンに測定値データを取り込むことにより、取り込んだ測定値データに基づく測定結果（測定値）をパソコンの表示部に表示させることが可能となっている。
【先行技術文献】
【特許文献】
【０００５】
【特許文献１】特開２００５−３２６１５６号公報（第３頁、第１図）
【発明の概要】
【発明が解決しようとする課題】
【０００６】
ところが、上記の特許文献に開示の電力量計には、以下のような解決すべき問題点が存在する。具体的には、上記の電力量計では、随時処理方式および常時処理方式のいずれかの処理方式でパソコンに測定値データを取り込ませる使用形態が想定されている。
【０００７】
この場合、上記の電力量計のような測定器による測定結果の分析時には、１つの測定対象、または、関連する複数の測定対象について、複数台の測定器による測定結果（測定値）を、測定時刻を一致させた状態で比較することがある。このような分析を行おうとしたときに、上記の電力量計から随時処理方式でパソコンに測定値データを取り込む場合には、電力量計とパソコンとの接続、パソコンへの測定値データの取込み、および電力量計とパソコンとの接続解除の一連の作業を、使用している各電力量計に対して順に実施する必要がある。このため、各電力量計からパソコンへの測定値データの取込みに関する利用者の負担が非常に大きいという問題点がある。
【０００８】
また、上記の電力量計から常時処理方式でパソコンに測定値データを取り込む場合には、各電力量計からパソコンに測定値データがそれぞれ送信されるため、通信路の種別（通信能力）や、使用する電力量計の台数によっては、通信路が輻輳状態に陥って各電力量計からの測定値データを正常に送受信できない状態となるおそれがある。また、常時処理方式では、測定対象において分析すべき変化が生じているか否かを問わず、すべての測定値データが電力量計からパソコンに送信される。このため、従量制課金方式の移動体通信網などを介して電力量計をパソコンに接続したときには、分析の必要がない測定値データを含む大量の測定値データの送受信によって通信費が高騰し、運用コストの低減が困難になるという問題点がある。
【０００９】
さらに、各電力量計が別個独立して測定処理を行って測定値データを生成しているため、各電力量計から取り込んだ各測定値データ内の最先の測定値の測定時刻や最新の測定値の測定時刻は一致していない。このため、随時処理方式および常時処理方式のいずれの処理方式で測定値データを取り込んだとしても、取り込んだ測定値データ内の測定値について各測定時刻を一致させた状態で比較するには、各測定値データ内の測定値の測定時刻をそれぞれ特定して同じ測定時刻の測定値を見付ける作業が必要となる。したがって、特にこの種の測定値データの取り扱いに不慣れな者にとっては、測定値の比較が困難となっているという問題点もある。
【００１０】
本発明は、かかる解決すべき問題点に鑑みてなされたものであり、複数台の測定器からの測定値データの取得に要する利用者の負担を十分に軽減しつつ運用コストを十分に低減し得る測定システムを提供することを主目的とする。また、複数の測定値データを容易に比較可能とする測定システムを提供することを他の目的とする。
【課題を解決するための手段】
【００１１】
上記目的を達成すべく、請求項１記載の測定システムは、予め規定された被測定量を予め規定された測定周期で測定して各測定値を測定時刻に関連付けて記録した測定値データを生成可能に構成されると共に、通信ネットワークを介して外部装置に当該測定値データを送信可能に構成されたＮ台（Ｎは、２以上の自然数）の測定器と、前記通信ネットワークを介して前記各測定器から送信された前記測定値データを受信して記録可能に構成されたデータ処理装置とを備えた測定システムであって、前記各測定器は、前記被測定量の測定時に予め規定された第１の時間分の最新の前記測定値を保持可能に構成され、前記各測定器のうちのＭ台（Ｍは、Ｎ以下の自然数）の当該測定器は、予め規定された保存条件が満たされたときに、当該保存条件が満たされた時刻を特定可能に当該保存条件が満たされたことを前記データ処理装置に報知する第１処理と、前記第１の時間分の測定値のうちの当該保存条件が満たされた時点を含む予め規定された第２の時間分の当該測定値を前記測定時刻に関連付けて記録して前記測定値データを生成し、生成した当該測定値データを前記データ処理装置に送信する第２処理とを実行可能に構成され、前記データ処理装置は、前記Ｍ台の測定器のうちの１台の当該測定器によって前記第１処理が実行されて前記保存条件が満たされたことが報知されたときに、当該１台の測定器を除くＬａ台（Ｌａは、（Ｎ−１））の前記測定器のうちの予め規定されたＬｂ台（Ｌｂは、Ｌａ以下の自然数）に対して、当該１台の測定器において前記保存条件が満たされた時点を含む前記第２の時間分の当該測定値を前記測定時刻に関連付けて記録した前記測定値データの送信を要求する第３処理を実行可能に構成され、前記Ｌａ台の測定器は、前記データ処理装置による前記第３処理によって要求された前記測定値データを生成して当該データ処理装置に送信する第４処理を実行可能に構成されている。
【００１２】
請求項２記載の測定システムは、予め規定された被測定量を予め規定された測定周期で測定して各測定値を測定時刻に関連付けて記録した測定値データを生成可能に構成されると共に、通信ネットワークを介して外部装置に当該測定値データを送信可能に構成されたＮ台（Ｎは、２以上の自然数）の測定器と、前記通信ネットワークを介して前記各測定器から送信された前記測定値データを受信して記録可能に構成されたデータ処理装置とを備えた測定システムであって、前記各測定器は、前記被測定量の測定時に予め規定された第１の時間分の最新の前記測定値を保持可能に構成され、かつ前記データ処理装置から要求された前記測定値データを生成して当該データ処理装置に送信可能に構成され、前記各測定器のうちのＭ台（Ｍは、Ｎ以下の自然数）の当該測定器は、予め規定された保存条件が満たされたときに、当該保存条件が満たされた時刻を特定可能に当該保存条件が満たされたことを前記データ処理装置に報知する処理Ａを実行可能に構成され、前記データ処理装置は、前記Ｍ台の測定器のうちの１台の当該測定器によって前記処理Ａが実行されて前記保存条件が満たされたことが報知されたときに、前記各測定器に対して、当該１台の測定器において前記保存条件が満たされた時点を含む予め規定された第２の時間分の当該測定値を前記測定時刻に関連付けて記録した前記測定値データの送信を要求する処理Ｂを実行可能に構成されている。
【００１３】
請求項３記載の測定システムは、請求項１または２記載の測定システムにおいて、前記データ処理装置は、前記各測定器から送信された前記各測定値データを、記録されている前記各測定値に関連付けられた前記測定時刻を一致させるように結合して結合済測定値データを生成可能に構成されている。
【００１４】
請求項４記載の測定システムは、請求項３記載の測定システムにおいて、前記通信ネットワークとしての第１通信ネットワークとは異なる通信ネットワークである第２通信ネットワークを介して前記データ処理装置が接続可能に配設されたデータ記録装置を備え、前記データ処理装置は、生成した前記結合済測定値データを、前記第２通信ネットワークを介して前記データ記録装置に送信して記録させるデータ送信処理を実行可能に構成されている。
【００１５】
請求項５記載の測定システムは、請求項１または２記載の測定システムにおいて、前記通信ネットワークとしての第１通信ネットワークとは異なる通信ネットワークである第２通信ネットワークを介して前記データ処理装置が接続可能に配設されたデータ記録装置を備え、前記データ処理装置は、前記各測定器から送信された前記測定値データを、前記第２通信ネットワークを介して前記データ記録装置に送信して記録させるデータ送信処理を実行可能に構成されている。
【００１６】
請求項６記載の測定システムは、請求項５記載の測定システムにおいて、前記データ記録装置は、前記データ処理装置から送信された前記各測定値データを、記録されている前記各測定値に関連付けられた前記測定時刻を一致せるように結合して結合済測定値データを生成可能に構成されている。
【００１７】
請求項７記載の測定システムは、予め規定された被測定量を予め規定された測定周期で測定して各測定値を測定時刻に関連付けて記録した測定値データを生成可能に構成されると共に、通信ネットワークを介して相互に通信可能に構成されたＮ台（Ｎは、２以上の自然数）の測定器を備えた測定システムであって、前記各測定器は、前記被測定量の測定時に予め規定された第１の時間分の最新の前記測定値を保持可能に構成され、かついずれかの当該測定器から前記測定値データの送信を要求されたときに、要求された当該測定値データを生成して当該いずれかの測定器に送信可能に構成され、前記各測定器のうちのＭ台（Ｍは、Ｎ以下の自然数）の当該測定器は、予め規定された保存条件が満たされたときに、前記第１の時間分の測定値のうちの当該保存条件が満たされた時点を含む予め規定された第２の時間分の当該測定値を前記測定時刻に関連付けて記録して前記測定値データを生成し、かつ前記いずれかの測定器として動作して、他のＬａ台（Ｌａは、Ｎ−１）の前記測定器のうちの予め規定されたＬｂ台（Ｌｂは、Ｌａ以下の自然数）に対して、前記保存条件が満たされた時点を含む前記第２の時間分の当該測定値を前記測定時刻に関連付けて記録した前記測定値データの送信を要求する処理を実行可能に構成されている。
【００１８】
請求項８記載の測定システムは、請求項７記載の測定システムにおいて、前記Ｍ台の測定器は、生成した前記測定値データ、および前記Ｌｂ台の測定器から送信された前記各測定値データを、記録されている前記各測定値に関連付けられた前記測定時刻を一致させるように結合して結合済測定値データを生成可能に構成されている。
【００１９】
請求項９記載の測定システムは、請求項８記載の測定システムにおいて、前記通信ネットワークとしての第１通信ネットワークとは異なる通信ネットワークである第２通信ネットワークを介して前記Ｍ台の測定器が接続可能に配設されたデータ記録装置を備え、前記Ｍ台の測定器は、生成した前記結合済測定値データを、前記第２通信ネットワークを介して前記データ記録装置に送信して記録させるデータ送信処理を実行可能に構成されている。
【発明の効果】
【００２０】
請求項１記載の測定システムでは、Ｎ台の測定器のうちのＭ台が、予め規定された保存条件が満たされたときに、保存条件が満たされた時刻を特定可能に保存条件が満たされたことをデータ処理装置に報知する第１処理と、第１の時間分の測定値のうちの保存条件が満たされた時点を含む予め規定された第２の時間分の測定値を測定時刻に関連付けて記録して測定値データを生成し、生成した測定値データをデータ処理装置に送信する第２処理とを実行可能に構成され、データ処理装置が、Ｍ台の測定器のうちの１台によって第１処理が実行されて保存条件が満たされたことが報知されたときに、その１台の測定器を除くＬａ台の測定器のうちの予め規定されたＬｂ台に対して、１台の測定器において保存条件が満たされた時点を含む第２の時間分の測定値を測定時刻に関連付けて記録した測定値データの送信を要求する第３処理を実行可能に構成され、Ｌａ台の測定器が、データ処理装置による第３処理によって要求された測定値データを生成してデータ処理装置に送信する第４処理を実行可能に構成されている。
【００２１】
また、請求項２記載の測定システムでは、Ｎ台の測定器が、予め規定された被測定量を予め規定された測定周期で測定して各測定値を測定時刻に関連付けて記録した測定値データを生成可能に構成されると共に、通信ネットワークを介して外部装置に測定値データを送信可能に構成され、Ｎ台の測定器のうちのＭ台が、予め規定された保存条件が満たされたときに、保存条件が満たされた時刻を特定可能に保存条件が満たされたことをデータ処理装置に報知する処理Ａを実行可能に構成され、データ処理装置が、Ｍ台の測定器のうちの１台によって処理Ａが実行されて保存条件が満たされたことが報知されたときに、各測定器に対して、その１台の測定器において保存条件が満たされた時点を含む予め規定された第２の時間分の測定値を測定時刻に関連付けて記録した測定値データの送信を要求する処理Ｂを実行可能に構成されている。
【００２２】
したがって、請求項１または２記載の測定システムによれば、いずれかの測定器において保存条件が満たされたときに、通信ネットワークを介してデータ処理装置に接続されている複数の測定器において生成された測定値データが各測定器からデータ処理装置に自動的に送信されるため、測定対象の状態の分析に必要な各測定値データの取得時における利用者の負担を十分に軽減することができる。また、いずれかの測定器において保存条件が満たされたときに、条件が満たされた時点を含む第２の時間分の測定値だけが記録された測定値データが各測定器からデータ処理装置に送信されるため、保存条件が満たされていないときに測定された測定値などの不要な測定値データが送信されない分だけ、通信ネットワークが輻輳状態に陥る事態を好適に回避して、測定値データを正常の送受信可能な状態を維持することができる。さらに、不要な測定値の測定値データが送信されないため、測定器とデータ処理装置との間に従量制課金方式の移動体通信網などを介在させて通信ネットワークを構成しても、通信費が高騰する事態を回避して、その運用コストを十分に低減することができる。
【００２３】
請求項３記載の測定システムによれば、データ処理装置が、各測定器から送信された各測定値データを、記録されている各測定値に関連付けられた測定時刻を一致させるように結合して結合済測定値データを生成することにより、各測定器において生成された測定値データの測定値を、測定時刻を一致させた状態で比較可能に相互に関連付ける作業が不要となるため、この種の測定システムの使用（複数台の測定器を使用した複数の測定値データの利用）に不慣れな者であっても、各測定値データに記録されている測定値を容易に比較して測定対象の状態を確実かつ容易に把握することができる。
【００２４】
請求項４記載の測定システムによれば、測定器およびデータ処理装置間の通信に使用される第１通信ネットワークとは異なる通信ネットワークである第２通信ネットワークを介してデータ処理装置が接続可能に配設されたデータ記録装置を備え、データ処理装置が、生成した結合済測定値データを、第２通信ネットワークを介してデータ記録装置に送信して記録させるデータ送信処理を実行することにより、データ処理装置からデータ記録装置に送信した結合済測定値データについてはデータ処理装置から削除することができるため、データ処理装置の記憶部として大容量の記憶媒体を搭載していなくても、順次送信される測定値データや、それらに基づいて生成される結合済測定値データの記憶領域が不足する事態を好適に回避することができる。これにより、データ処理装置の製造コストを十分に低減することができる。
【００２５】
請求項５記載の測定システムによれば、測定器およびデータ処理装置間の通信に使用される第１通信ネットワークとは異なる通信ネットワークである第２通信ネットワークを介してデータ処理装置が接続可能に配設されたデータ記録装置を備え、データ処理装置が、各測定器から送信された測定値データを、第２通信ネットワークを介してデータ記録装置に送信して記録させるデータ送信処理を実行することにより、データ処理装置からデータ記録装置に送信した測定値データについてはデータ処理装置から削除することができるため、データ処理装置の記憶部として大容量の記憶媒体を搭載していなくても、順次送信される測定値データの記憶領域が不足する事態を好適に回避することができる。これにより、データ処理装置の製造コストを十分に低減することができる。
【００２６】
請求項６記載の測定システムによれば、データ記録装置が、データ処理装置から送信された各測定値データを、記録されている各測定値に関連付けられた測定時刻を一致させるように結合して結合済測定値データを生成することにより、各測定器において生成された測定値データの測定値を、測定時刻を一致させた状態で比較可能に相互に関連付ける作業が不要となるため、この種の測定システムの使用（複数台の測定器を使用した複数の測定値データの利用）に不慣れな者であっても、各測定値データに記録されている測定値を容易に比較して測定対象の状態を確実かつ容易に把握することができる。
【００２７】
請求項７記載の測定システムでは、Ｎ台の測定器が、いずれかの測定器から測定値データの送信を要求されたときに、要求された測定値データを生成してその測定器に送信可能に構成され、Ｎ台の測定器のうちのＭ台が予め規定された保存条件が満たされたときに、第１の時間分の測定値のうちの保存条件が満たされた時点を含む予め規定された第２の時間分の測定値を測定時刻に関連付けて記録して測定値データを生成し、かつ上記のいずれかの測定器として動作して、他のＬａ台の測定器のうちの予め規定されたＬｂ台に対して、保存条件が満たされた時点を含む第２の時間分の測定値を測定時刻に関連付けて記録した測定値データの送信を要求する処理を実行可能に構成されている。
【００２８】
したがって、請求項７記載の測定システムによれば、いずれかの測定器において保存条件が満たされたときに、通信ネットワークを介してその測定器に接続されている他の複数の測定器において生成された測定値データが各測定器から保存条件が満たされた測定器に自動的に送信されるため、測定対象の状態の分析に必要な各測定値データの取得時における利用者の負担を十分に軽減することができる。また、いずれかの測定器において保存条件が満たされたときに、条件が満たされた時点を含む第２の時間分の測定値だけが記録された測定値データが各測定器から保存条件が満たされた測定器に送信されるため、保存条件が満たされていないときに測定された測定値などの不要な測定値データが送信されない分だけ、通信ネットワークが輻輳状態に陥る事態を好適に回避して、測定値データを正常の送受信可能な状態を維持することができる。さらに、不要な測定値の測定値データが送信されないため、各測定器の間に従量制課金方式の移動体通信網などを介在させて通信ネットワークを構成しても、通信費が高騰する事態を回避して、その運用コストを十分に低減することができる。
【００２９】
請求項８記載の測定システムによれば、Ｍ台の測定器を、自身が生成した測定値データ、およびＬｂ台の測定器から送信された各測定値データを、記録されている各測定値に関連付けられた測定時刻を一致させるように結合して結合済測定値データを生成可能に構成したことにより、各測定器において生成された測定値データの測定値を、測定時刻を一致させた状態で比較可能に相互に関連付ける作業が不要となるため、この種の測定システムの使用（複数台の測定器を使用した複数の測定値データの利用）に不慣れな者であっても、各測定値データに記録されている測定値を容易に比較して測定対象の状態を確実かつ容易に把握することができる。
【００３０】
請求項９記載の測定システムによれば、測定器間の通信に使用される第１通信ネットワークとは異なる通信ネットワークである第２通信ネットワークを介してＭ台の測定器が接続可能に配設されたデータ記録装置を備え、生成した結合済測定値データを、第２通信ネットワークを介してデータ記録装置に送信して記録させるデータ送信処理を実行可能にＭ台の測定器を構成したことにより、保存条件を満たした測定器からの送信要求に応じて送信した測定値データについては、その測定器から削除することができるため、測定器の記憶部として大容量の記憶媒体を搭載していなくても、順次出力される測定値や順次送信される測定値データの記憶領域が不足する事態を好適に回避することができる。これにより、測定器の製造コストを十分に低減することができる。
【図面の簡単な説明】
【００３１】
【図１】測定システム１００の構成を示す構成図である。
【図２】測定器１の構成を示す構成図である。
【図３】ゲートウェイ２の構成を示す構成図である。
【発明を実施するための形態】
【００３２】
以下、測定システムの実施の形態について、添付図面を参照して説明する。
【００３３】
図１に示す測定システム１００は、「測定システム」の一例であって、複数の測定器１ａ，１ｂ・・１ｎ、ゲートウェイ２およびデータサーバ３を備えて構成されている。
【００３４】
測定器１ａ，１ｂ・・１ｎ（以下、区別しないときには「測定器１」ともいう）は、「Ｎ台の測定器」の一例であって、測定対象Ｘについての「予め規定された被測定量（電流値、電圧値、抵抗値、電力値、位相、温度、湿度、歪み、輝度（光度）、照度、雨量および流量等の各種のパラメータ）」を「予め規定された測定周期」で測定して各測定値を測定時刻に関連付けて記録した測定値データＤｍ（「測定値データ」の一例）を生成可能に構成されると共に、「通信ネットワーク」を介して外部装置に測定値データＤｍを送信可能に構成されている。なお、本例の測定システム１００では、一例として、Ｎ＝Ｍ台の測定器１を備えて構成されている（「Ｎ台の測定器」のすべてを「Ｍ台の測定器」で構成した例）。
【００３５】
この測定器１は、図２に示すように、測定部１１、通信部１２、操作部１３、表示部１４、処理部１５、記憶部１６および内部時計１７を備えている。
【００３６】
測定部１１は、処理部１５の制御に従って測定対象Ｘについての「被測定量」を測定する「測定処理」を実行する。通信部１２は、ＬＡＮ５（「通信ネットワークとしての第１通信ネットワーク」の一例）に接続可能なネットワークアダプタで構成され、処理部１５の制御に従ってゲートウェイ２等のネットワーク機器に接続して各種のデータを送受信する。操作部１３は、測定器１の動作条件の設定操作や、上記の「測定処理」の開始／停止を指示する操作が可能な操作スイッチを備え、スイッチ操作に応じた操作信号を処理部１５に出力する。表示部１４は、処理部１５の制御に従って動作条件の設定画面や測定結果の表示画面など（いずれも図示せず）を表示する。
【００３７】
処理部１５は、測定器１を総括的に制御する。具体的には、処理部１５は、一例としてゲートウェイ２から取得した時刻情報（ゲートウェイ２の後述する内部時計２７による計時時刻を特定可能な情報）に基づき、内部時計１７の現在時刻を補正する「時刻補正処理（内部時計１７の計時時刻をゲートウェイ２の現在時刻と一致させる処理）」を実行する。また、処理部１５は、測定部１１を制御して「測定処理」を実行させると共に、その測定結果（測定値）を記憶部１６に記憶させる。この場合、本例の測定器１では、処理部１５が、予め規定された（設定された）「第１の時間」分の最新の測定値を記憶部１６に記憶させて保持する構成が採用されている。
【００３８】
さらに、処理部１５は、予め規定された（設定された）「保存条件（トリガ条件）」を満たす測定値が測定されたときに、「保存条件」が満たされた時点における内部時計１７の計時時刻（測定時刻：トリガ発生時刻）を特定可能にトリガ発生時刻データＤｔを生成してゲートウェイ２に送信する（「保存条件が満たされたことを報知する第１処理」の一例）。また、処理部１５は、上記の「第１の時間」分の測定値のうちの「保存条件」が満たされた時点を含む予め規定された「第２の時間」分の測定値を測定時刻に関連付けて記録して測定値データＤｍを生成し、生成した測定値データＤｍを記憶部１６に記憶させると共に、通信部１２からＬＡＮ５を介してゲートウェイ２に送信する（「第２処理」の一例）。
【００３９】
さらに、処理部１５は、後述するように、ゲートウェイ２から「他の測定器１におい保存条件が満たされた時点」を含む「第２の時間」分の測定値データＤｍの送信を要求されたときに、記憶部１６に記憶されている測定値のうちから「第２の時間」分の測定値を抽出して測定時刻に関連付けて測定値データＤｍを生成し、生成した測定値データＤｍを記憶部１６に記憶させると共に、通信部１２からＬＡＮ５を介してゲートウェイ２に送信する（「第４処理」の一例）。
【００４０】
記憶部１６は、処理部１５の動作プログラム、測定部１１による「測定処理」の測定結果（測定値）、処理部１５による各種演算処理の演算結果、および処理部１５によって生成される測定値データＤｍやトリガ発生時刻データＤｔなどを記憶する。内部時計１７は、現在時刻を計時する。この場合、本例の測定器１では、前述のように処理部１５による「時刻補正処理」によって内部時計１７の計時時刻がゲートウェイ２の現在時刻と一致させられる。これにより、本例の測定システム１００では、ＬＡＮ５を介してゲートウェイ２に接続されたすべての測定器１の現在時刻が同期された状態となる。
【００４１】
ゲートウェイ２は、「データ処理装置」の一例であって、各測定器１と共に測定現場に設置されてＬＡＮ５を介して測定器１から送信されたトリガ発生時刻データＤｔや測定値データＤｍを受信して記録すると共に、移動体通信網６を介してインターネット７に接続し、インターネット７に接続されているデータサーバ３などのネットワーク機器に接続して後述の測定結果データＤｒ等を送信して記録させる処理を実行可能に構成されている。なお、本例では、移動体通信網６およびインターネット７が相俟って「第１通信ネットワークとは異なる通信ネットワーク」である「第２通信ネットワーク」に相当する。このゲートウェイ２は、図３に示すように、通信部２１，２２、操作部２３、表示部２４、処理部２５、記憶部２６および内部時計２７を備えている。
【００４２】
通信部２１は、測定器１の測定部１１と同様にしてＬＡＮ５に接続可能なネットワークアダプタで構成され、処理部２５の制御に従って測定器１などのネットワーク機器に接続して各種のデータを送受信する。通信部２２は、一例として、移動体通信網６に接続可能な移動体通信モジュールで構成され、処理部２５の制御下で、移動体通信網６を介してゲートウェイ２をインターネット７（インターネット７に接続されている各種ネットワーク機器）に接続させる。操作部２３は、ゲートウェイ２の動作条件の設定操作などを実行可能な複数の操作スイッチ（図示せず）を備え、スイッチ操作に応じた操作信号を処理部２５に出力する。表示部２４は、処理部２５の制御下でゲートウェイ２の動作状態を示す各種の情報を表示する。
【００４３】
処理部２５は、ゲートウェイ２を総括的に制御する。この処理部２５は、通信部２２、移動体通信網６およびインターネット７を介してＮＴＰサーバに接続して、時刻補正用の正確な時刻情報を取得すると共に、取得した時刻情報に基づいて内部時計２７の現在時刻を補正する。また、処理部２５は、一例として、測定器１（処理部１５）からの要求に応じて内部時計２７の現在時刻を特定可能な時刻情報を通信部２１からＬＡＮ５を介して測定器１に送信する。これにより、前述のように測定器１（内部時計１７）の現在時刻がゲートウェイ２（内部時計２７）の現在時刻と一致させられて各測定器１の現在時刻が同期された状態となる。
【００４４】
また、処理部２５は、いずれかの測定器１（「Ｍ台の測定器のうちの１台の測定器」の一例）からＬＡＮ５を介して送信されたトリガ発生時刻データＤｔが通信部２１によって受信されたときに（「第１処理が実行されて保存条件が満たされたことが報知されたとき」の一例）、トリガ発生時刻データＤｔに記録されている時刻を、トリガ発生時刻データＤｔを送信した測定器１において「保存条件」を満たす測定値が測定された測定時刻（トリガ発生時刻）として特定する。さらに、処理部２５は、一例として、稼働中の各測定器１のうちのトリガ発生時刻データＤｔを送信した測定器１を除くすべての測定器１（「Ｌａ台の測定器のうちの予め規定されたＬｂ台」の一例：この例では、Ｌａ＝Ｌｂ台）に対して、トリガ発生時刻データＤｔに記録されている測定時刻（「１台の測定器において保存条件が満たされた時点」の一例）を含む「第２の時間」分の測定値を測定時刻に関連付けて記録した測定値データＤｍの送信を要求する（「第３処理」の一例）。
【００４５】
また、処理部２５は、トリガ発生時刻データＤｔを送信した測定器１から前述のように送信される測定値データＤｍや、上記の「第３処理」によって送信要求した測定器１から送信される測定値データＤｍが通信部２１によって受信されたときに、それらの測定値データＤｍを記憶部１６に記憶させる。さらに、処理部２５は、各測定器１から送信されて記憶部１６に記憶させた測定値データＤｍを、それぞれに記録されている測定値の測定時刻を一致させるように相互に関連付けて測定結果データＤｒを生成し（「記録されている各測定値に関連付けられた測定時刻を一致させるように結合して」との処理の一例）、生成した測定結果データＤｒ（「結合済測定値データ」の一例）を記憶部２６に記憶させる。
【００４６】
また、処理部２５は、一例として、測定結果データＤｒの生成が完了したときに、生成した測定結果データＤｒを通信部２２から移動体通信網６およびインターネット７を介してデータサーバ３に送信して記録させる「データ送信処理」を実行する。なお、処理部２５による上記の各処理の具体的な内容については、後に詳細に説明する。記憶部２６は、処理部２５の動作プログラム、通信部２１によって受信されたトリガ発生時刻データＤｔや測定値データＤｍ、および処理部２５によって生成される測定結果データＤｒなどを記憶する。内部時計２７は、現在時刻を計時する。この場合、本例のゲートウェイ２では、前述のように処理部２５による時刻補正処理によって内部時計２７の計時時刻がＮＴＰサーバから取得した正確な時刻に補正された状態となっている。
【００４７】
データサーバ３は、「データ記録装置」の一例であって、上記のようにゲートウェイ２から移動体通信網６およびインターネット７を介して送信される測定結果データＤｒを図示しない記録装置（ハードディスクドライブ等の大容量記録媒体）に記録して保存する。また、データサーバ３は、任意の情報処理端末（例えば、後述のデータ処理端末Ｔ）からの要求に応じてインターネット７を介して測定結果データＤｒを送信する。
【００４８】
次に、測定システム１００の使用形態の一例について説明する。
【００４９】
この測定システム１００の使用に際しては、各測定器１およびゲートウェイ２を測定対象Ｘが存在する測定現場に設置する。具体的には、まず、各測定器１の測定用センサを測定対象Ｘに装着すると共に、ＬＡＮ５を構成するネットワークケーブルを介して（必要に応じてスイッチングハブを介して）各測定器１の通信部１２をゲートウェイ２の通信部２１に接続する。なお、各測定器１の動作条件やゲートウェイ２の動作条件については、測定現場に設置する以前に実施したり、設置作業のうちの１つの作業として測定現場において実施したりする。また、ゲートウェイ２の操作部２３を操作することにより、移動体通信網６およびインターネット７を介してデータサーバ３に接続可能な状態とする。
【００５０】
この場合、実際には、設置作業の開始に先立ち、データサーバ３を使用する権限を有する者のユーザ登録（認証用のＩＤおよびパスワードの発行）や、移動体通信網６への接続を許容するゲートウェイ２（ゲートウェイ２に装着される図示しないｓｉｍカード等）の登録を行うが、「データ処理装置」および「測定システム」の構成に関する理解を容易とするために、これらの登録作業や、登録結果に基づく認証処理に関する説明を省略する。
【００５１】
次いで、上記のように各測定器１やゲートウェイ２の設置、および通信可能状態への移行が完了したときに、ゲートウェイ２における内部時計２７の時刻補正処理や、測定器１における内部時計１７の時刻補正処理を手動で実行させる。これにより、測定システム１００の使用開始に先立ち、各測定器１およびゲートウェイ２の現在時刻が同期した状態となる。以上により、測定システム１００を使用する準備作業が完了する。この場合、本例の測定システム１００では、電源を投入された状態の測定器１やゲートウェイ２において、時刻補正処理が予め規定されたタイミングで定期的に実行される。これにより、この測定システム１００では、各測定器１およびゲートウェイ２の時刻が同期された状態が維持される。
【００５２】
次いで、各測定器１およびゲートウェイ２による処理を開始させる。この際に、各測定器１では、前述したように「測定処理」が実行されて測定部１１が処理部１５の制御下で測定対象Ｘについての予め規定された被測定量を予め設定された測定周期で測定する。これにより、各測定器１において、測定対象Ｘについての最新の「第１の時間」分の測定値が記憶部１６にそれぞれ記憶される。また、各測定器１では、処理部１５が、測定部１１から測定値が出力される都度、その測定値が「保存条件」を満たす測定値であるか否かを判別する。
【００５３】
この場合、「保存条件」としては、測定システム１００の使用目的（測定対象Ｘについて分析すべき事項）に応じて、「測定値が、予め設定された設定値を超えたとき」や「測定値が、予め設定された設定値を下回ったとき」などの各種の条件のうちから任意の条件が設定されている。また、この「保存条件」に関しては、各測定器１毎に個別に設定したり、複数台またはすべての測定器１に対して共通の条件を設定したりすることができる。
【００５４】
また、「保存条件」を満たす測定値が測定されたと判別したときに、処理部１５は、その測定値が測定された時点における内部時計１７の計時時刻（その測定値の測定時刻）を記録したトリガ発生時刻データＤｔを生成して記憶部１６に記憶させる。さらに、処理部１５は、生成したトリガ発生時刻データＤｔを通信部１２からＬＡＮ５を介してゲートウェイ２に送信させる（「第１の処理」の実行）。
【００５５】
ゲートウェイ２では、測定器１から送信されたトリガ発生時刻データＤｔが通信部２１によって受信されたときに（「保存条件が満たされたことが報知されたとき」の一例）、処理部２５が、まず、トリガ発生時刻データＤｔに記録されている時刻を特定する。次いで、処理部２５は、トリガ発生時刻データＤｔを送信した測定器１を除く稼働中の他のすべての測定器１（「Ｌａ台の測定器のうちの予め規定されたＬｂ台」の一例）に対して、トリガ発生時刻データＤｔを送信した測定器１において「保存条件」が満たされた時点（トリガ発生時刻データＤｔに記録されていた時刻の時点）を含む「第２の時間」分の測定値を測定時刻に関連付けて記録した測定値データＤｍの送信を要求する（「第３処理」の一例）。
【００５６】
一方、前述のように「保存条件」を満たす測定値が測定されて生成したトリガ発生時刻データＤｔをゲートウェイ２に送信した測定器１ではトリガ発生時刻データＤｔの生成および送信の後に、また、それ以外の稼働中の測定器１ではゲートウェイ２からの送信要求が受信されたときに、「第１の時間」分の測定値を記録した測定値データＤｍの生成、および生成した測定値データＤｍのゲートウェイ２への送信が行われる。
【００５７】
具体的には、トリガ発生時刻データＤｔを送信した測定器１では、処理部１５が、「保存条件」を満たす測定値が測定された時点以前に測定された測定値を含む予め設定された時間（数秒から数十秒：一例として、「保存条件」を満たした時点以前の５秒前から、「保存条件」を満たした時点から１５秒が経過するまでの２０秒間）内の測定値を記録した測定値データＤｍを生成して記憶部１６に記憶させる。また、処理部１５は、生成した測定値データＤｍを通信部１２からＬＡＮ５を介してゲートウェイ２に送信する（「第２処理」の一例）。
【００５８】
さらに、ゲートウェイ２からの送信要求があった測定器１では、処理部１５が、ゲートウェイ２から指定された時刻（他の測定器１において「保存条件」が満たされた時刻）の時点以前に測定された測定値を含む予め設定された時間（数秒から数十秒：一例として、上記の例と同じ２０秒間）内の測定値を記録した測定値データＤｍを生成して記憶部１６に記憶させる。また、処理部１５は、生成した測定値データＤｍを通信部１２からＬＡＮ５を介してゲートウェイ２に送信する（「第４処理」の一例）。
【００５９】
また、ゲートウェイ２では、処理部２５が、各測定器１から送信されて通信部２１によって受信された測定値データＤｍを記憶部２６に記憶させる。次いで、処理部２５は、トリガ発生時刻データＤｔを送信した測定器１からの測定値データＤｍ、および上記の「第３処理」において送信要求をした各測定器１からの測定値データＤｍのすべてが受信されて記憶部２６に記憶されたときに、各測定値データＤｍに記録されている各測定値にそれぞれ関連付けられている測定時刻を一致させるように各測定値を結合して（各測定値を比較可能に関連付けた状態として）測定結果データＤｒを生成し、生成した測定結果データＤｒを記憶部２６に記憶させる。
【００６０】
次いで、処理部２５は、通信部２２からデータサーバ３に移動体通信網６およびインターネット７を介して測定結果データＤｒを送信して記録させる（「データ送信処理」の一例）。また、データサーバ３では、ゲートウェイ２から送信された測定結果データＤｒが、その測定結果データＤｒを送信したゲートウェイ２に関連付けられた状態で記録装置に記録される。これにより、利用者が、必要に応じてデータ処理端末Ｔ等を操作してデータサーバ３にアクセスし、記録装置に記録されている測定結果データＤｒをデータサーバ３からダウンロードすることにより、その測定結果データＤｒを分析することで測定対象Ｘの状態を詳細に把握することが可能となる。
【００６１】
このように、この測定システム１００では、Ｎ台の測定器１のうちのＭ台が、予め規定された「保存条件」が満たされたときに、「保存条件」が満たされた時刻を特定可能に「保存条件」が満たされたことをゲートウェイ２に報知する「第１処理」と、「第１の時間」分の測定値のうちの「保存条件」が満たされた時点を含む予め規定された「第２の時間」分の測定値を測定時刻に関連付けて記録して測定値データＤｍを生成し、生成した測定値データＤｍをゲートウェイ２に送信する「第２処理」とを実行可能に構成され、ゲートウェイ２が、Ｍ台の測定器１のうちの１台によって「第１処理」が実行されて「保存条件」が満たされたことが報知されたときに、その１台の測定器１を除くＬａ台の測定器１のうちの予め規定されたＬｂ台に対して、１台の測定器１において「保存条件」が満たされた時点を含む「第２の時間」分の測定値を測定時刻に関連付けて記録した測定値データＤｍの送信を要求する「第３処理」を実行可能に構成され、Ｌａ台の測定器１が、ゲートウェイ２による「第３処理」によって要求された測定値データＤｍを生成してゲートウェイ２に送信する「第４処理」を実行可能に構成されている。
【００６２】
したがって、この測定システム１００によれば、いずれかの測定器１において「保存条件」が満たされたときに、ＬＡＮ５を介してゲートウェイ２に接続されている複数の測定器１において生成された測定値データＤｍが各測定器１からゲートウェイ２に自動的に送信されるため、測定対象Ｘの状態の分析に必要な各測定値データＤｍの取得時における利用者の負担を十分に軽減することができる。また、いずれかの測定器１において「保存条件」が満たされたときに、条件が満たされた時点を含む「第２の時間」分の測定値だけが記録された測定値データＤｍが各測定器１からゲートウェイ２に送信されるため、「保存条件」が満たされていないときに測定された測定値などの不要な測定値データＤｍが送信されない分だけ、ＬＡＮ５が輻輳状態に陥る事態を好適に回避して、測定値データＤｍを正常の送受信可能な状態を維持することができる。
【００６３】
また、この測定システム１００によれば、ゲートウェイ２が、各測定器１から送信された各測定値データＤｍを、記録されている各測定値に関連付けられた測定時刻を一致させるように結合して測定結果データＤｒを生成することにより、各測定器１において生成された測定値データＤｍの測定値を、測定時刻を一致させた状態で比較可能に相互に関連付ける作業が不要となるため、この種の「測定システム」の使用（複数台の「測定器」を使用した複数の「測定値データ」の利用）に不慣れな者であっても、各測定値データＤｍに記録されている測定値を容易に比較して測定対象Ｘの状態を確実かつ容易に把握することができる。
【００６４】
さらに、この測定システム１００によれば、測定器１およびゲートウェイ２間の通信に使用されるＬＡＮ５とは異なる通信ネットワークである移動体通信網６およびインターネット７を介してゲートウェイ２が接続可能に配設されたデータサーバ３を備え、ゲートウェイ２が、生成した測定結果データＤｒを、移動体通信網６およびインターネット７を介してデータサーバ３に送信して記録させる「データ送信処理」を実行することにより、ゲートウェイ２からデータサーバ３に送信した測定結果データＤｒについてはゲートウェイ２から削除することができるため、ゲートウェイ２の記憶部２６として大容量の記憶媒体を搭載していなくても、順次送信される測定値データＤｍや、それらに基づいて生成される測定結果データＤｒの記憶領域が不足する事態を好適に回避することができる。これにより、ゲートウェイ２の製造コストを十分に低減することができる。
【００６５】
なお、「データ処理装置」および「測定システム」の構成は、上記のゲートウェイ２および測定システム１００の構成の例に限定されない。例えば、各測定器１から送信された測定値データＤｍに基づきゲートウェイ２の処理部２５が「結合済測定値データ」の一例である測定結果データＤｒを生成してデータサーバ３に送信する構成を例に挙げて説明したが、測定結果データＤｒの生成（「測定値データ」の結合）については、データサーバ３などの「データ記録装置」において実行する構成を採用することもできる。
【００６６】
具体的には、一例として、上記の測定システム１００におけるゲートウェイ２およびデータサーバ３の構成を改変し、ゲートウェイ２において測定結果データＤｒを生成せずに、データサーバ３において測定結果データＤｒを生成する構成を採用することができる。より具体的には、トリガ発生時刻データＤｔを出力した測定器１、およびその他の稼働中の測定器１から測定値データＤｍが送信されたときに、ゲートウェイ２の処理部２５が、それらの測定値データＤｍを記憶部１６に記憶させた後に、各測定値データＤｍを通信部２２から移動体通信網６およびインターネット７を介してデータサーバ３に送信させる（「データ送信処理」の他の一例）。
【００６７】
また、データサーバ３では、ゲートウェイ２から送信された各測定値データＤｍの記録装置への記録が完了したときに、前述の例においてゲートウェイ２の処理部２５が実行した処理と同様にして、各測定値データＤｍに基づいて測定結果データＤｒを生成し、生成した測定結果データＤｒを記録装置に記録させる。これにより、前述の構成の例と同様にして、利用者が、必要に応じてデータ処理端末Ｔ等を操作してデータサーバ３にアクセスし、記録装置に記録されている測定結果データＤｒをデータサーバ３からダウンロードすることにより、その測定結果データＤｒを分析することで測定対象Ｘの状態を詳細に把握することが可能となる。
【００６８】
このように、測定器１およびゲートウェイ２間の通信に使用されるＬＡＮ５とは異なる通信ネットワークである移動体通信網６およびインターネット７を介してゲートウェイ２が接続可能に配設されたデータサーバ３を備え、ゲートウェイ２が、各測定器１から送信された測定値データＤｍを、移動体通信網６およびインターネット７を介してデータサーバ３に送信して記録させる「データ送信処理」を実行する測定システム１００によれば、ゲートウェイ２からデータサーバ３に送信した測定値データＤｍについてはゲートウェイ２から削除することができるため、ゲートウェイ２の記憶部２６として大容量の記憶媒体を搭載していなくても、順次送信される測定値データＤｍの記憶領域が不足する事態を好適に回避することができる。これにより、ゲートウェイ２の製造コストを十分に低減することができる。
【００６９】
また、ゲートウェイ２から送信された各測定値データＤｍを、記録されている各測定値に関連付けられた測定時刻を一致させるように結合して測定結果データＤｒを生成可能に構成されたデータサーバ３を備えた測定システム１００によれば、各測定器１において生成された測定値データＤｍの測定値を、測定時刻を一致させた状態で比較可能に相互に関連付ける作業が不要となるため、この種の「測定システム」の使用（複数台の「測定器」を使用した複数の「測定値データ」の利用）に不慣れな者であっても、各測定値データＤｍに記録されている測定値を容易に比較して測定対象Ｘの状態を確実かつ容易に把握することができる。
【００７０】
また、「測定処理」によって「保存条件」を満たす測定値が測定されて、その測定時刻を記録したトリガ発生時刻データＤｔをゲートウェイ２に送信した測定器１において、処理部１５が、ゲートウェイ２からの送信要求の有無によらず、予め規定された「第２の時間」分の測定値を記録した測定値データＤｍを生成して通信部１２からＬＡＮ５を介してゲートウェイ２に送信する構成を例に挙げて説明したが、「保存条件」が満たされた測定器１を含むすべての測定器１において、ゲートウェイ２からの送信要求に応じて測定値データＤｍの生成およびゲートウェイ２への送信を実行する構成を採用することもできる。
【００７１】
なお、このような構成を採用した測定システム１００においては、「保存条件」を満たす測定値が測定された測定器１において、処理部１５が、その測定値の測定時刻（「保存条件」を満たす測定値が測定された時点における内部時計１７の計時時刻）を記録したトリガ発生時刻データＤｔを生成してゲートウェイ２に送信する処理が「保存条件が満たされた時刻を特定可能に保存条件が満たされたことをデータ処理装置に報知する処理Ａ」に相当する。また、このような構成を採用した測定システム１００においては、いずれかの測定器１からトリガ発生時刻データＤｔが送信されて（「処理Ａ」が実行されて）「保存条件」が満たされたことが報知されたときに、ゲートウェイ２の処理部２５が、トリガ発生時刻データＤｔを送信した測定器１を含む稼働中のすべての測定器１に対して、「第２の時間」分の測定値を測定時刻に関連付けて記録した測定値データＤｍの送信を要求する処理が「処理Ｂ」に相当する。
【００７２】
このように、各測定器１（処理部１５）が「処理Ａ」を実行可能に構成され、かつゲートウェイ２（処理部２５）が「処理Ｂ」を実行可能に構成された測定システム１００によれば、前述の構成の例と同様にして、いずれかの測定器１において「保存条件」が満たされたときに、ＬＡＮ５を介してゲートウェイ２に接続されている複数の測定器１において生成された測定値データＤｍが各測定器１からゲートウェイ２に自動的に送信されるため、測定対象Ｘの状態の分析に必要な各測定値データＤｍの取得時における利用者の負担を十分に軽減することができる。また、いずれかの測定器１において「保存条件」が満たされたときに、条件が満たされた時点を含む「第２の時間」分の測定値だけが記録された測定値データＤｍが各測定器１からゲートウェイ２に送信されるため、「保存条件」が満たされていないときに測定された測定値などの不要な測定値データＤｍが送信されない分だけ、ＬＡＮ５が輻輳状態に陥る事態を好適に回避して、測定値データＤｍを正常の送受信可能な状態を維持することができる。
【００７３】
一方、上記の各構成の例に代えて、ＬＡＮ５などの「通信ネットワーク」を介して相互に通信可能に構成された複数の測定器のうちの少なくとも１台を、上記の測定システム１００におけるゲートウェイ２のような「データ処理装置」と同様に機能させて「測定システム」を構築することもできる。
【００７４】
具体的には、一例として、「測定システム」を構成するＮ台の「測定器」を、いずれかの「測定器（データ処理装置と同様に機能させる即的）」から「測定値データ」の送信を要求されたときに、要求された「測定値データ」を生成して、送信要求した「測定器」に対して送信可能に構成する。また、Ｎ台の「測定器」のうちのＭ台（少なくとも１台）を、予め規定された「保存条件」が満たされたときに、「第１の時間」分の測定値のうちの「保存条件」が満たされた時点を含む予め規定された「第２の時間」分の測定値を測定時刻に関連付けて記録して「測定値データ」を生成し、かつ上記の「いずれかの測定器」として動作して、他のＬａ台の「測定器」のうちの予め規定されたＬｂ台に対して、「保存条件」が満たされた時点を含む「第２の時間」分の測定値を測定時刻に関連付けて記録した「測定値データ」の送信を要求する処理を実行可能に構成する。
【００７５】
このような、構成の「測定システム」によれば、いずれかの「測定器」において「保存条件」が満たされたときに、「通信ネットワーク」を介してその「測定器」に接続されている他の複数の「測定器」において生成された「測定値データ」が各「測定器」から「保存条件」が満たされた「測定器」に自動的に送信されるため、「測定対象」の状態の分析に必要な各「測定値データ」の取得時における利用者の負担を十分に軽減することができる。また、いずれかの「測定器」において「保存条件」が満たされたときに、条件が満たされた時点を含む「第２の時間」分の測定値だけが記録された「測定値データ」が各「測定器」から「保存条件」が満たされた「測定器」に送信されるため、「保存条件」が満たされていないときに測定された測定値などの不要な「測定値データ」が送信されない分だけ、「通信ネットワーク」が輻輳状態に陥る事態を好適に回避して、「測定値データ」を正常の送受信可能な状態を維持することができる。
【００７６】
また、いずれかの「測定器」を「データ処理装置と同様に機能させるように構成した「測定システム」において、Ｍ台の「測定器」を、自身が生成した「測定値データ」、およびＬｂ台の「測定器」から送信された各「測定値データ」を、記録されている各測定値に関連付けられた測定時刻を一致させるように結合して「結合済測定値データ」を生成可能に構成することにより、各「測定器」において生成された「測定値データ」の測定値を、測定時刻を一致させた状態で比較可能に相互に関連付ける作業が不要となるため、この種の「測定システム」の使用（複数台の「測定器」を使用した複数の「測定値データ」の利用）に不慣れな者であっても、各「測定値データ」に記録されている測定値を容易に比較して「測定対象」の状態を確実かつ容易に把握することができる。
【００７７】
さらに、いずれかの「測定器」を「データ処理装置と同様に機能させるように構成した「測定システム」において、各「測定器」間の通信に使用される「第１通信ネットワーク」とは異なる通信ネットワークである「第２通信ネットワーク」を介してＭ台の「測定器」が接続可能に配設された「データ記録装置」を備え、生成した「結合済測定値データ」を、「第２通信ネットワーク」を介して「データ記録装置」に送信して記録させる「データ送信処理」を実行可能にＭ台の「測定器」を構成したことにより、「保存条件」を満たした「測定器」からの送信要求に応じて送信した「測定値データ」については、その「測定器」から削除することができるため、「測定器」の記憶部として大容量の記憶媒体を搭載していなくても、順次出力される測定値や順次送信される「測定値データ」の記憶領域が不足する事態を好適に回避することができる。これにより、「測定器」の製造コストを十分に低減することができる。
【００７８】
また、「Ｎ台の測定器」のすべてを「Ｍ台の測定器」として動作可能に構成した例について説明したが、使用する「Ｎ台の測定器」のうちの数台だけが「第１処理」や「処理Ａ」を実行可能に構成し、他の「測定器」については、「第１処理」や「処理Ａ」を実行できないように構成することもできる。さらに、Ｎ台の測定器１のうちの１台がトリガ発生時刻データＤｔを生成してゲートウェイ２に送信したときに、ゲートウェイ２が、「第３処理」として、トリガ発生時刻データＤｔを送信した１台の測定器１を除くＬａ台の測定器１のすべて（Ｌａ＝Ｌｂ台の測定器１）に対して「第２の時間」分の測定値データＤｍの送信を要求する構成を例に挙げて説明したが、「第３処理」においてＬａ≠Ｌｂ台（つまり、Ｌｂ台は、１台からＬａ台までの範囲内の任意の台数でよい）の測定器１に対して「第２の時間」分の測定値データＤｍの送信を要求する構成を採用することもできる。
【００７９】
また、処理部２５がゲートウェイ２における内部時計２７の時刻をＮＴＰサーバから取得した時刻情報に基づいて時刻補正し、処理部１５が測定器１における内部時計１７の時刻をゲートウェイ２から取得して時刻情報（内部時計２７の計時時刻の情報）に基づいて時刻補正することで、各測定器１の時刻およびゲートウェイ２の時刻を同期させる構成を例に挙げて説明したが、各「測定器」および「データ処理装置」の時刻を同期させるための構成は、上記の構成の例に限定されない。
【００８０】
例えば、前述の測定システム１００におけるデータサーバ３が十分に正確な時刻情報を出力可能な構成の場合には、ゲートウェイ２の処理部２５が、ＮＴＰサーバに代えてデータサーバ３から時刻情報を取得して内部時計２７を時刻補正する構成を採用することもできる。また、ＮＴＰサーバやデータサーバ３などのネットワーク機器に代えて、ゲートウェイ２の処理部２５がＧＰＳ信号に基づいて特定される時刻情報を利用して内部時計２７を時刻補正する構成を採用することもできる。さらに、各測定器１の処理部１５が、ＮＴＰサーバ、正確な時刻情報を出力可能なデータサーバ３などから時刻情報を直接取得して内部時計１７を時刻補正する構成を採用したり、ＧＰＳ信号に基づいて特定される時刻情報を利用して内部時計１７を時刻補正する構成を採用したりすることもできる。
【００８１】
さらに、上記のゲートウェイ２のような通信管理機器に代えて、測定器１と共にＬＡＮ５に接続したパーソナルコンピュータなどの情報処理端末を「データ処理装置」として機能させて、前述の例におけるゲートウェイ２と同様の各種処理を実行可能に構成することもできる。また、ＬＡＮ５を介して各測定器１をゲートウェイ２に接続する構成を例に挙げて説明したが、このような構成に代えて、ブルートゥース（登録商標）等の近距離無線通信規格に準じた通信路で構成した通信ネットワークを「通信ネットワークとしての第１通信ネットワーク」として利用して各「測定器」を「データ処理装置」に接続することもできる（図示せず）。
【００８２】
さらに、移動体通信網６およびインターネット７を介してゲートウェイ２をデータサーバ３に接続させる構成を例に挙げて説明したが、例えば、「データ処理装置」にブロードバンドルータ機能を搭載することで「データ処理装置」をインターネット７に対して直接接続させたり、「データ処理装置」に外部機器としてのブロードバンドルータを接続してブロードバンドルータを介して「データ処理装置」をインターネット７に対して接続させたりして「データ記録装置」に接続させる構成を採用することもできる。
【００８３】
また、移動体通信網６およびインターネット７を介して接続可能なデータサーバ３を「データ記録装置」としてゲートウェイ２から測定結果データＤｒを送信して記録させる構成を例に挙げて説明したが、「データ記録装置」はこれに限定されず、例えば、各測定器１と共にＬＡＮ５に接続した「ネットワークハードディスクドライブ」などの記録装置（図示せず）を「データ記録装置」としてゲートウェイ２から測定結果データＤｒを送信して記録させる構成や、ゲートウェイ２に対して信号ケーブルを介して直接接続された記録装置（図示せず）を「データ記録装置」としてゲートウェイ２から測定結果データＤｒを送信して記録させる構成を採用することができる。
【００８４】
さらに、各「測定器」と「データ処理装置」とを「通信ネットワークとしての移動体通信網」を介して相互に接続する構成を採用することもできる。具体的には、「測定器」や「データ処理装置」に前述のゲートウェイ２における通信部２２のような通信モジュールを搭載したり、「測定器」や「データ処理装置」に「移動体通信網接続用の通信モデム」を接続したりして、「移動体通信網」を介して「測定器」と「データ処理装置」とを接続可能とすることができる。この場合、上記の各例のような構成を採用することで、不要な測定値の「測定値データ」が「測定器」と「データ処理装置」との間で送信されないため、「測定器」と「データ処理装置」との間に従量制課金方式の「移動体通信網」などを介在させても、通信費が高騰する事態を回避して、その運用コストを十分に低減することができる。
【符号の説明】
【００８５】
１００  測定システム
１ａ〜１ｎ  測定器
２  ゲートウェイ
３  データサーバ
５  ＬＡＮ
６  移動体通信網
７  インターネット
１１  測定部
１２，２１，２２  通信部
１３，２３  操作部
１４，２４  表示部
１５，２５  処理部
１６，２６  記憶部
１７，２７  内部時計
Ｄｍ  測定値データ
Ｄｒ  測定結果データ
Ｄｔ  トリガ発生時刻データ
Ｔ  データ処理端末
Ｘ  測定対象
【図１】
2020143974.tif 000003
【図２】
2020143974.tif 000004
【図３】
2020143974.tif 000005